(57)【要約】【課題】利用者固有の情報や、再生履歴情報等を用いて、利用者が「元気」等の感情を享受し得る楽曲リストである楽曲再生リストを生成する装置を提供する。【解決手段】楽曲再生リスト生成装置では、楽曲選択期間設定手段が、利用者の固有情報に基づいて楽曲選択期間を設定し、重み付け情報取得手段が、楽曲選択期間毎の重み付け情報を取得する。そして、記憶特徴領域設定手段が、楽曲選択期間と重み付け情報とに基づいて記憶特徴領域を設定し、楽曲再生リスト生成手段は、上記記憶特徴領域の種類に応じて楽曲を選択し、楽曲再生リストを生成する。このように、楽曲再生リスト生成装置は、利用者の過去の期間について、複数の期間を設定し、設定した期間における重み付け情報に基づいて楽曲再生リストを生成するので、利用者の記憶や体験を想起させる楽曲リストを生成することができる。これにより、利用者は最大の目的である「元気」や「リラックス」や「爽快」などの感情を享受できる。【選択図】図１
2009289387.tif 000002
【特許請求の範囲】
【請求項１】
楽曲属性情報を保持する楽曲属性情報保持手段と、
利用者固有の情報に基づいて楽曲選択期間を設定する楽曲選択期間設定手段と、
前記楽曲選択期間毎の重み付け情報を取得する重み付け情報取得手段と、
前記楽曲選択期間及び前記重み付け情報に基づいて記憶特徴領域を設定する記憶特徴領域設定手段と、
前記楽曲属性情報及び前記記憶特徴領域の種類に基づいて選択した楽曲のリストである楽曲再生リストを生成し、登録する楽曲再生リスト生成手段と、
を備えることを特徴とする楽曲再生リスト生成装置。
【請求項２】
前記重み付け情報は、再生履歴情報を含むことを特徴とする請求項１に記載の楽曲再生リスト生成装置。
【請求項３】
前記重み付け情報は、再生した楽曲情報の評価情報を含むことを特徴とする請求項１又は２に記載の楽曲再生リスト生成装置。
【請求項４】
前記楽曲再生リスト生成手段は、前記記憶特徴領域の種類毎に楽曲の選択手法を変更していることを特徴とする請求項１乃至３のいずれか一項に記載の楽曲再生リスト生成装置。
【請求項５】
前記楽曲再生リストに基づいて楽曲を再生する楽曲再生手段をさらに備えることを特徴とする請求項１乃至４のいずれか一項に記載の楽曲再生リスト生成装置。
【請求項６】
楽曲を再生する楽曲再生手段をさらに備え、
前記楽曲再生リスト生成手段は、前記楽曲再生手段が再生した楽曲に基づいて、登録済みの楽曲再生リストを更新することを特徴とする請求項１乃至４のいずれか一項に記載の楽曲再生リスト生成装置。
【請求項７】
前記楽曲再生リストには、香り発生制御情報を含み、
前記楽曲再生リスト内の香り発生制御情報に基づいて香りを発生させる香り発生手段をさらに備え、
前記楽曲再生リスト生成手段は、楽曲に対応する記憶特徴領域の種類に応じた香り制御情報を楽曲再生リストに設定することを特徴とする請求項１乃至６のいずれか一項に記載の楽曲再生リスト生成装置。
【請求項８】
前記楽曲選択期間設定手段は、所定の情報に基づいて、設定した楽曲選択期間を階層的に複数の楽曲選択期間に分割し、
前記楽曲再生リスト生成手段は、前記楽曲選択期間の階層の深さに基づいて、設定する香り制御情報の内容を決定することを特徴とする請求項７に記載の楽曲再生リスト生成装置。
【請求項９】
保持している楽曲属性情報を用いて楽曲再生リストを生成する楽曲再生リスト生成方法であって、
利用者固有の情報に基づいて楽曲選択期間を設定する楽曲選択期間設定工程と、
前記楽曲選択期間毎の重み付け情報を取得する重み付け情報取得工程と、
前記楽曲選択期間及び前記重み付け情報に基づいて記憶特徴領域を設定する記憶特徴領域設定工程と、
前記楽曲属性情報及び前記記憶特徴領域の種類に基づいて選択した楽曲のリストである楽曲再生リストを生成し、登録する楽曲再生リスト生成工程と、
を備えることを特徴とする楽曲再生リスト生成方法。
【請求項１０】
楽曲属性情報を保持しているコンピュータを備える装置によって実行される楽曲再生リスト生成プログラムであって、
利用者固有の情報に基づいて楽曲選択期間を設定する楽曲選択期間設定手段、
前記楽曲選択期間毎の重み付け情報を取得する重み付け情報取得手段、
前記楽曲選択期間及び前記重み付け情報に基づいて記憶特徴領域を設定する記憶特徴領域設定手段、
前記楽曲属性情報及び前記記憶特徴領域の種類に基づいて選択した楽曲のリストである楽曲再生リストを生成し、登録する楽曲再生リスト生成手段、として前記コンピュータを機能させることを特徴とする楽曲再生リスト生成プログラム。
【請求項１１】
請求項１０に記載の楽曲再生リスト生成プログラムを記憶したことを特徴とする記憶媒体。
【発明の詳細な説明】
【技術分野】
【０００１】
本発明は、楽曲の再生リストを生成する技術に関する。
【背景技術】
【０００２】
近年、ハードディスクドライブ（ＨＤＤ）やフラッシュメモリなどの記憶媒体が大容量化しており、記憶媒体に大量の楽曲を記憶しておくことが可能となっており、保存している楽曲の再生履歴に基づいて楽曲再生リストを生成する装置がある（例えば、特許文献１）。
【０００３】
また、再生履歴情報を用いて、再生時間が長い楽曲を優先的に選択した楽曲再生リストを生成する装置（例えば、特許文献２）や心拍数等の生体情報に基づいて楽曲再生リストを生成する装置（例えば、特許文献３）もある。
【０００４】
【特許文献１】特開２００６−３１８５４６号公報
【特許文献２】特開２００４−２８８２４５号公報
【特許文献３】特開２００６−１０６１０３号公報
【発明の開示】
【発明が解決しようとする課題】
【０００５】
しかし、記憶媒体に多数の楽曲が記憶されている場合、上記の手法を用いて再生履歴に基づいて曲を選択しても、嗜好が偏り、新しい音楽との出会いが無くなってしまう。この結果、音楽を聴いたユーザはその最大の目的である元気、リラックス、爽快などの効果を享受できないことになる。また、多数の楽曲の中からランダムに曲を選択しても、利用者にとって所望の曲を提供できない。
【０００６】
本発明が解決しようとする課題としては、上記のようなものが例として挙げられる。本発明は、多数の楽曲が用意されている場合に、利用者固有の情報や、再生履歴情報等を用いて、利用者にとって所望の楽曲のリストである楽曲再生リストを生成する装置を提供することを課題とする。利用者の記憶や体験をよみがえらせる楽曲再生リストの生成を可能とし、音楽を聴いたユーザにその最大の目的である元気、リラックス、爽快などの効果を提供することを課題とする。
【課題を解決するための手段】
【０００７】
請求項１に記載の発明は、楽曲再生リスト生成装置であって、楽曲属性情報を保持する楽曲属性情報保持手段と、利用者固有の情報に基づいて楽曲選択期間を設定する楽曲選択期間設定手段と、前記楽曲選択期間毎の重み付け情報を取得する重み付け情報取得手段と、前記楽曲選択期間及び前記重み付け情報に基づいて記憶特徴領域を設定する記憶特徴領域設定手段と、前記楽曲属性情報及び前記記憶特徴領域の種類に基づいて選択した楽曲のリストである楽曲再生リストを生成し、登録する楽曲再生リスト生成手段と、を備えることを特徴とする。
【０００８】
請求項９に記載の発明は、保持している楽曲属性情報を用いて楽曲再生リストを生成する楽曲再生リスト生成方法であって、利用者固有の情報に基づいて楽曲選択期間を設定する楽曲選択期間設定工程と、前記楽曲選択期間毎の重み付け情報を取得する重み付け情報取得工程と、前記楽曲選択期間及び前記重み付け情報に基づいて記憶特徴領域を設定する記憶特徴領域設定工程と、前記楽曲属性情報及び前記記憶特徴領域の種類に基づいて選択した楽曲のリストである楽曲再生リストを生成し、登録する楽曲再生リスト生成工程と、を備えることを特徴とする。
【０００９】
請求項１０に記載の発明は、楽曲属性情報を保持しているコンピュータを備える装置によって実行される楽曲再生リスト生成プログラムであって、利用者固有の情報に基づいて楽曲選択期間を設定する楽曲選択期間設定手段、前記楽曲選択期間毎の重み付け情報を取得する重み付け情報取得手段、前記楽曲選択期間及び前記重み付け情報に基づいて記憶特徴領域を設定する記憶特徴領域設定手段、前記楽曲属性情報及び前記記憶特徴領域の種類に基づいて選択した楽曲のリストである楽曲再生リストを生成し、登録する楽曲再生リスト生成手段、として前記コンピュータを機能させることを特徴とする。
【発明を実施するための最良の形態】
【００１０】
本発明の好適な実施形態では、楽曲再生リスト生成装置であって、楽曲属性情報を保持する楽曲属性情報保持手段と、利用者固有の情報に基づいて楽曲選択期間を設定する楽曲選択期間設定手段と、前記楽曲選択期間毎の重み付け情報を取得する重み付け情報取得手段と、前記楽曲選択期間及び前記重み付け情報に基づいて記憶特徴領域を設定する記憶特徴領域設定手段と、前記記憶特徴領域の種類に対応する楽曲属性情報を有する楽曲を選択したリストである楽曲再生リストを生成し、登録する楽曲再生リスト生成手段と、を備える。
【００１１】
楽曲再生リスト生成装置は、具体的には、ポータブルミュージックプレイヤーや楽曲情報を保持しているコンピュータ装置等に適用することができる。上記の楽曲再生リスト生成装置は、楽曲属性情報を保持している。ここで、楽曲属性情報とは、楽曲のＣＤ（Ｃｏｍｐａｃｔ  Ｄｉｓｋ）のリリース日、ジャンル等の情報をいう。
【００１２】
楽曲再生リスト生成装置では、楽曲選択期間設定手段は、所定の方法（例えば、入力操作等）で取得した利用者の固有情報（例えば、生年月日等）に基づいて楽曲選択期間を設定する。ここで、楽曲選択期間とは、利用者の過去の期間について、複数に分けた期間をいう。そして、重み付け情報取得手段は、楽曲選択期間毎の重み付け情報を取得する。ここで、重み付け情報とは、利用者の再生傾向に関する情報（例えば、楽曲の再生回数等）をいう。
【００１３】
そして、記憶特徴領域設定手段は、楽曲選択期間と重み付け情報とに基づいて記憶特徴領域を設定し、楽曲再生リスト生成手段は、上記記憶特徴領域の種類に応じて楽曲を選択し、楽曲再生リストを生成する。
【００１４】
このように、楽曲再生リスト生成装置は、利用者の過去の期間について、複数の期間を設定し、設定した期間における重み付け情報に基づいて楽曲再生リストを生成するので、利用者の記憶や体験を想起させ、利用者に「元気」や「リラックス」や「爽快」などの感情を享受させる楽曲再生リストを生成することができる。
【００１５】
上記の楽曲再生リスト生成装置の一態様では、前記重み付け情報は、再生履歴情報を含む。楽曲再生リスト生成装置は、重み付け情報として再生履歴情報を用いれば、利用者の記憶や体験を想起させ、利用者に「元気」や「リラックス」や「爽快」などの感情を享受させる楽曲再生リストを生成することができる。
【００１６】
上記の楽曲再生リスト生成装置の他の一態様では、前記重み付け情報は、再生した楽曲情報の評価情報を含む。楽曲再生リスト生成装置は、重み付け情報として、楽曲情報の評価情報を用いれば、利用者の記憶や体験を想起させる楽曲再生リストを生成することができる。また、楽曲再生リスト生成装置は、単に再生履歴情報に基づいて楽曲再生リストを生成する場合に比して、より利用者の記憶や体験を想起させ、利用者に「元気」や「リラックス」や「爽快」などの感情を享受させる楽曲再生リストを生成することができる。
【００１７】
上記の楽曲再生リスト生成装置の他の一態様では、前記楽曲再生リスト生成手段は、前記記憶特徴領域の種類毎に楽曲の選択手法を変更している。これによれば、楽曲再生リスト生成装置は、記憶特徴領域の種類毎に、楽曲再生リストの選択手法を変更することにより、利用者の記憶や体験を想起させる楽曲を選択することができるため、利用者に「元気」や「リラックス」や「爽快」などの感情を享受させる楽曲再生リストを生成することができる。
【００１８】
上記の楽曲再生リスト生成装置の他の一態様では、前記楽曲再生リストに基づいて楽曲を再生する楽曲再生手段をさらに備える。この場合、楽曲再生リスト生成装置は、生成した楽曲再生リストに従い、楽曲を再生することができ、利用者に「元気」や「リラックス」や「爽快」などの感情を享受させる楽曲再生リストを生成することができる。
【００１９】
楽曲を再生する楽曲再生手段をさらに備え、前記楽曲再生リスト生成手段は、前記楽曲再生手段が再生した楽曲に基づいて、登録済みの楽曲再生リストを更新する。これによれば、楽曲再生リスト生成装置は、最新の再生傾向に即した楽曲再生リストを生成することができる。
【００２０】
上記の楽曲再生リスト生成装置の他の一態様では、前記楽曲再生リストには、香り発生制御情報を含み、前記楽曲再生リスト内の香り発生制御情報に基づいて香りを発生させる香り発生手段をさらに備え、前記楽曲再生リスト生成手段は、楽曲に対応する記憶特徴領域の種類に応じた香り制御情報を楽曲再生リストに設定する。
【００２１】
このように、楽曲再生リスト生成装置は、楽曲を再生すると共に、予め登録されている香り制御情報に基づいて、香りを発生させるので、利用者に「元気」や「リラックス」や「爽快」などの感情を享受させることができる。また、楽曲再生リスト生成装置は、記憶特徴領域毎に、香りの発生手法を変えているので、利用者に対して、楽曲がどのような記憶特徴領域であるか感知させることもできる。
【００２２】
上記の楽曲再生リスト生成装置の他の一態様では、前記楽曲選択期間設定手段は、所定の情報に基づいて、設定した楽曲選択期間を階層的に複数の楽曲選択期間に分割し、前記楽曲再生リスト生成手段は、前記楽曲選択期間の階層の深さに基づいて、設定する香り制御情報の内容を決定する。これによれば、楽曲再生リスト生成装置は、記憶特徴領域の種類及び楽曲選択期間の階層の深さに応じて、香りの発生手法を変えているので、利用者に対して楽曲がどのような記憶特徴領域であるかを感知させることもできるだけでなく、楽曲選択期間の階層の深さ（階層レベル）も感知させることができる。
【００２３】
本発明の他の観点では、保持している楽曲属性情報を用いて楽曲再生リストを生成する楽曲再生リスト生成方法であって、利用者固有の情報に基づいて楽曲選択期間を設定する楽曲選択期間設定工程と、前記楽曲選択期間毎の重み付け情報を取得する重み付け情報取得工程と、前記楽曲選択期間及び前記重み付け情報に基づいて記憶特徴領域を設定する記憶特徴領域設定工程と、前記楽曲属性情報及び前記記憶特徴領域の種類に基づいて選択した楽曲のリストである楽曲再生リストを生成し、登録する楽曲再生リスト生成工程と、を備える。
【００２４】
このような、楽曲再生リスト生成方法によっても、利用者固有の情報に基づいて楽曲選択期間を設定した後に、上記楽曲選択期間と重み付け情報とに基づいた記憶特徴領域を設定し、記憶特徴領域毎の重み付け情報に基づいて楽曲を選択した楽曲再生リストを生成しているので、利用者に「元気」や「リラックス」や「爽快」などの感情を享受させる楽曲再生リストを生成することができる。
【００２５】
本発明の他の観点では、楽曲属性情報を保持しているコンピュータを備える装置によって実行される楽曲再生リスト生成プログラムであって、利用者固有の情報に基づいて楽曲選択期間を設定する楽曲選択期間設定手段、前記楽曲選択期間毎の重み付け情報を取得する重み付け情報取得手段、前記楽曲選択期間及び前記重み付け情報に基づいて記憶特徴領域を設定する記憶特徴領域設定手段、前記楽曲属性情報及び前記記憶特徴領域の種類に基づいて選択した楽曲のリストである楽曲再生リストを生成し、登録する楽曲再生リスト生成手段、として前記コンピュータを機能させる。
【００２６】
このような楽曲再生リスト生成プログラムを、各種装置上で実行することにより、本発明の楽曲再生リスト生成装置を実現することができる。なお、この楽曲再生リスト生成プログラムは記録媒体に記録した状態で好適に取り扱うことができる。
【実施例】
【００２７】
以下、図面を参照して本発明の好適な実施例について説明する。
【００２８】
［楽曲再生リスト生成装置］
図１は、実施例に係る楽曲再生リスト生成装置１の概略構成を示す。図示のように、楽曲再生リスト生成装置１は、楽曲選択期間設定部１１と、記憶特徴領域設定部１２と、選曲手法設定部１３と、楽曲再生リスト生成部１４と、楽曲評価入力部１５と、ユーザ情報入力部１６と、楽曲再生部１７と、楽曲情報データベース（ＤＢ）２０とを備える。
【００２９】
楽曲選択期間設定部１１は、所定の入力装置（例えば、キーボード、タッチパネル等）を介して取得した利用者の固有情報（例えば、生年月日等）に基づいて、利用者の過去の期間を複数の期間に分割する。本実施例では、楽曲選択期間設定部１１は、楽曲選択期間を３つに設定する。図２（ａ）に、楽曲選択期間を設定した場合の例を示す。図２（ａ）の例では、楽曲選択期間設定部１１は、「小学校」、「中学校」、「社会人」等、年齢的な成長過程における単純な時間区分に基づいて楽曲選択期間を設定している。
【００３０】
なお、本発明は、これに限られず、楽曲選択期間設定部１１が、心理的な成長過程における時間区分（例えば、「思春期」、「青年期」、「壮年期」等）に基づいて楽曲選択期間を設定しても良いし、相対的な時間区分（例えば、今から１０年前等）に基づいて楽曲選択期間を設定しても良い。
【００３１】
記憶特徴領域設定部１２は、各楽曲選択期間について、所定の基準に基づいて楽曲選択期間内で、複数の領域に分割する。本実施例では、記憶特徴領域設定部１２は、予め保持している、利用者による楽曲の再生回数情報を取得し、当該再生回数情報に基づいて楽曲選択期間を分割し、分割した領域である記憶特徴領域の種類を特定する。従って、本実施例における記憶特徴領域設定部１２は、重み付け情報取得手段と記憶特徴領域設定手段として機能する。図２（ｂ）に、記憶特徴領域設定部１２が、楽曲選択期間と、再生回数情報とに基づいて、記憶特徴領域を設定する例を示す。
【００３２】
図２（ｂ）における記憶特徴領域Ａは、上記の再生回数情報から導いた、再生頻度が高く、且つ過去の楽曲選択期間である領域であり、記憶特徴領域Ｂは、再生回数情報から導いた再生頻度が高く、且つ比較的現在である領域であり、記憶特徴領域Ｃは、上記記憶特徴領域Ａ及び上記記憶特徴領域Ｂ以外の領域である。
【００３３】
このように、記憶特徴領域設定部１２が楽曲選択期間を再生回数に基づいて分割した領域である記憶特徴領域を設定することにより、当該記憶特徴領域の種類毎に応じて、楽曲再生リストに含める楽曲の選別方法を変えれば、利用者にとって所望の楽曲リストを生成することができる。
【００３４】
選曲手法設定部１３は、上記記憶特徴領域の種類毎に、選曲手法について設定する。本実施例では、選曲手法設定部１３は、記憶特徴領域Ａについては、リクエスト／再生回数の多い楽曲を含む同じ時期の楽曲を選択し、記憶特徴領域Ｂについては、リクエスト／再生回数の多い楽曲を選択し、記憶特徴領域Ｃについては、記憶特徴領域Ａにおける楽曲選択手法と記憶特徴領域Ｂにおける楽曲選択手法とを混合した選択手法で楽曲を選択するように設定する。
【００３５】
ここで、混合するとは、隣接する記憶特徴領域の選曲手法を適度に混ぜ合わせた手法で選曲することをいう。例えば、図２（ｂ）の場合、記憶特徴領域Ｃである中学〜大学について、「中学」では、記憶特徴領域Ａの選曲手法とほぼ同じ手法で選曲し、「大学」では、記憶特徴領域Ｂの選曲手法とほぼ同じ手法で選曲し、高校では、記憶特徴領域Ａの選曲手法と記憶特徴領域Ｂの選曲手法との中間の選曲手法で選曲する。
【００３６】
このように、記憶特徴領域間で、極端に選曲手法を変更するのではなく、連続的に選曲手法を変えているので、バランス良く選曲することを可能とする。ここで、図３を用いて、記憶特徴領域Ａと記憶特徴領域Ｂの選曲手法について説明する。
【００３７】
図３の例は、再生頻度とリリース時期とを軸とした楽曲のグラフである。ここで、曲Ａ〜曲Ｃの内、曲Ａのみが再生頻度の閾値を超えているものとする。
【００３８】
記憶特徴領域Ｂの選曲手法は、再生回数の多い楽曲のみを選択するので、図３の例では、曲Ａを選択する。そして、記憶特徴領域Ａの選曲手法は、再生回数の多い曲と共に、再生回数の多い曲のリリース時期が近い（例えば、１ヶ月程度の差）曲も選択するので、図３の例では、曲Ａ〜曲Ｃの曲を選択する。
【００３９】
このように、楽曲再生リスト生成装置１は、記憶特徴領域の種類に応じて、楽曲の選択手法を変更しているので、単一の選曲手法で楽曲を選択した楽曲再生リストを生成する場合に比して、より利用者にとって所望の楽曲再生リストを生成することができる。
【００４０】
また、楽曲再生リスト生成装置１は、記憶特徴領域Ａから楽曲を選択する際、再生回数が多い楽曲を選曲すると共にとリリース時期が近い曲を選曲している。これにより、楽曲再生リスト生成装置１は、利用者の記憶や体験をより想起させる楽曲を選択することができる。
【００４１】
楽曲再生リスト生成部１４は、選曲手法設定部１３が設定した選曲手法に基づいて、上記記憶特徴領域の種類毎に、各記憶特徴領域内に対応する楽曲を選択し、選択した楽曲に関する楽曲再生リストを生成し、当該楽曲再生リストを登録する。
【００４２】
楽曲評価入力部１５は、利用者による入力装置に対する操作によって、入力された楽曲評価を受け付ける。
【００４３】
ユーザ情報入力部１６は、利用者による入力装置に対する操作によって入力された情報（例えば、生年月日、好みの楽曲ジャンル等）を受け付ける。
【００４４】
楽曲再生部１７は、楽曲再生リスト生成部１４が生成した楽曲再生リストに基づいて楽曲を再生したり、利用者によって指定された楽曲を再生したりする。
【００４５】
楽曲情報ＤＢ２０は、楽曲情報や、当該楽曲情報の属性情報（楽曲の題名、楽曲ジャンル、リリース日、再生回数等）を保持するデータベースである。楽曲再生リスト生成装置１が、上記楽曲情報ＤＢ２０から楽曲情報を取得してくることにより、当該楽曲情報を再生することができる。また、楽曲再生リスト生成装置１が、上記楽曲情報ＤＢ２０内の楽曲属性情報を取得することにより、楽曲属性情報の内容に基づいて、楽曲再生リストを生成することができる。
【００４６】
また、上記の楽曲情報ＤＢ２０では、楽曲情報以外に重み付け情報を保持する。ここでいう重み付け情報とは、利用者の再生傾向を示す情報をいい、記憶特徴領域を設定する際に用いられる情報である。重み付け情報には、「聴取確率」、「リクエスト数」、「再生回数情報」、「聴取鮮度」が含まれる。
【００４７】
（１）聴取確率
「聴取確率」とは、ユーザがその楽曲を聴いたであろう確率であり、所定の単位（例えば、楽曲選択期間）で設定される。聴取確率は、ユーザ固有の情報（生年月日、性別、出身地など）に基づいて算出され、設定又は記憶される。例えば、聴取確率が高いほど、その楽曲選択期間においてその楽曲が再生される確率が高くなるように楽曲再生リストが作成される。
【００４８】
（２）リクエスト数
「リクエスト数」は、ユーザがその楽曲をもう一度聞きたいとリクエストした回数である。例えば、前述の再生評価として、ユーザが楽曲再生中にリピート指示を入力した回数をリクエスト数とすることができる。リクエスト数が多い楽曲は基本的に再生回数が多くなるように楽曲再生リストが生成される。本実施例では、リクエスト数が評価情報として機能する。
【００４９】
（３）再生回数情報
「再生回数」は、実際にその楽曲が再生された回数である。例えば、再生回数の少ない楽曲を選択することにより、再生される楽曲の偏りが防止される。本実施例では、再生回数情報が再生履歴情報として機能する。
【００５０】
（４）聴取鮮度
「聴取鮮度」は、最後にその楽曲を再生してからの経過時間により示される。経過時間が長いほど聴取鮮度は新しい。聴取鮮度が新しい楽曲を選択することにより、再生される楽曲の偏りが緩和される。
【００５１】
なお、上述の楽曲情報ＤＢ２０は、楽曲属性情報保持手段として機能する。そして、楽曲選択期間設定部１１、記憶特徴領域設定部１２、選曲手法設定部１３、楽曲再生リスト生成部１４は、楽曲再生リスト生成装置１を統括制御する制御部（例えば、ＣＰＵ等）から構成され、楽曲評価入力部１５及びユーザ情報入力部１６は、上記制御部と入力装置から構成される。楽曲再生部１７は、上記制御部及び音声出力手段から構成される。そして、楽曲情報ＤＢ２０は、ハードディスク等、所定の記憶装置で実現される。
【００５２】
［楽曲再生リスト生成方法］
次に、楽曲再生リスト生成方法について説明する。ここで、楽曲再生リスト生成方法とは、楽曲選択期間を設定し、設定した楽曲選択期間について、所定の重み付け情報に基づいて分割した記憶特徴領域を設定し、記憶特徴領域の種類毎に設定されている選曲手法に基づいて楽曲の選択をし、選択した楽曲に基づいて楽曲再生リストを生成する方法をいう。
【００５３】
楽曲再生リスト生成装置１では、楽曲選択期間設定部１１が、利用者固有情報に基づいて複数の楽曲選択期間を設定する。そして、記憶特徴領域設定部１２は、予め設定されている再生回数情報に基づいて記憶特徴領域を設定する。
【００５４】
そして、楽曲再生リスト生成部１４は、記憶特徴領域の種類毎に定められている選曲手法に基づいて楽曲再生リストを生成・登録する。
【００５５】
なお、楽曲再生リスト生成装置１は、記憶特徴領域Ａについて、ただ単に再生される曲だけではなく、当該曲とリリース時期が同時期である曲についても、楽曲再生リストに含める。これにより、楽曲再生リスト生成装置１は、利用者の記憶や体験をより想起させる楽曲再生リストに含めることができる。
【００５６】
［楽曲再生リスト生成処理］
以下に、楽曲再生リスト生成処理の手順について図４に示すフローチャートを用いて説明する。この処理は、楽曲再生リスト生成装置１の制御部が、予め用意されたプログラムを実行することにより実現される。
【００５７】
まず、ユーザ情報入力部１６は、所定の入力装置（例えば、タッチパネルや音声認識装置等）を介して生年月日等の情報を取得する（ステップＳ１）。
【００５８】
そして、楽曲再生リスト生成装置１が備えているタイマー機能を用いて、現在時刻を取得する（ステップＳ２）。
【００５９】
そして、楽曲選択期間設定部１１が、利用者固有情報に基づいて複数の楽曲選択期間を設定する（ステップＳ３）。
【００６０】
そして、記憶特徴領域設定部１２は、楽曲選択期間及び再生回数情報に基づいて記憶特徴領域を設定する（ステップＳ４）。
【００６１】
そして、楽曲再生リスト生成部１４は、記憶特徴領域毎に設定済みの選曲手法に基づいて楽曲を選択し、楽曲再生リストを生成する（ステップＳ５）。
【００６２】
そして、楽曲再生部１７は、利用者の入力操作により楽曲の再生要求を受信すると、再生対象の楽曲を再生し（ステップＳ６）、楽曲再生リスト生成部１４は、再生した楽曲の重み付け情報である再生回数を更新する（ステップＳ７）。そして、楽曲再生リスト生成装置１に対する終了要求を受信すると（ステップＳ８；Ｙｅｓ）、楽曲再生リスト生成処理を終了する。
【００６３】
このように、楽曲再生リスト生成装置１は、生年月日等の、利用者の固有情報に基づいて、利用者の過去の期間を複数の期間に分割し、分割した期間内における重み付け情報に基づいて、複数の記憶特徴領域を設定し、記憶特徴領域の種類毎に定められた選曲手法に基づいて楽曲を選択し、選択した楽曲について、楽曲再生リストを生成している。
【００６４】
よって、楽曲再生リスト生成装置１は、利用者の過去の期間について、重み付け情報に基づいて楽曲を選択し、楽曲再生リストを生成しているので、利用者の記憶や体験を想起させる楽曲リストを生成することができる。
【００６５】
また、楽曲再生リスト生成装置１は、楽曲を再生すると、当該楽曲の再生回数の情報を更新し、再度楽曲再生リストを生成する際には、更新した再生回数の情報に用いて楽曲再生リストを生成する。従って、楽曲再生リスト生成装置１は、最新の楽曲再生状態に基づいて楽曲再生リストを生成することができる。
【００６６】
そして、楽曲再生リスト生成装置１では、楽曲再生部１７が楽曲再生リストに基づいて、楽曲を再生すれば、利用者は、「元気」、「リラックス」、「爽快」などの感情を享受できる。
【００６７】
［第２実施例］
次に、本発明の第２実施例について説明する。図５に、第２実施例に係る楽曲再生リスト生成装置１ａの概略構成を示す。なお、図１に示す第１実施例の楽曲再生リスト生成装置１と同一の構成要素には同一の符号を付し、その説明を省略する。
【００６８】
第２実施例に係る楽曲再生リスト生成装置１ａは、楽曲再生時に、記憶特徴領域の種類に応じて香りの発生を制御する点で、第１実施例と異なるが、それ以外の点は、基本的に第１実施例と同様である。
【００６９】
第２実施例に係る楽曲再生リスト生成装置１ａでは、楽曲再生リスト生成部１４は、楽曲再生リストを生成した後に、当該楽曲再生リストに対して、楽曲に対応する記憶特徴領域の種類に関する香り制御情報を登録する。ここで、香り制御情報とは、香りを発生させるか否かについての情報や、香りを発生させる場合の香りの種類の情報等をいう。
【００７０】
第２実施例に係る楽曲再生リスト生成装置１ａは、香り発生部３０をさらに備える。上記香り発生部３０は、公知の香り発生装置、及び所定の制御部により実現する。そして、香り発生部３０は、再生する楽曲に対応する記憶特徴領域の種類に応じて、香りを発生させる手法を決定し、決定した手法に基づいて、香り発生の制御を行う。香り発生部３０は、制御部と、公知の香り発生装置から構成される。
【００７１】
本実施例では、再生する楽曲に対応する記憶特徴領域が記憶特徴領域Ａである場合、香り発生部３０は、予め定義されている香り（例えば、利用者の好みの香り等）を発生させる。また、再生する楽曲に対応する記憶特徴領域が記憶特徴領域Ｂである場合、香り発生部３０は、香りの発生を行わない。そして、再生する楽曲に対応する記憶特徴領域が記憶特徴領域Ｃである場合、香り発生部３０は、記憶特徴領域Ａ及び記憶特徴領域Ｂを適当な比率に基づいて香りを発生させる。例えば、記憶特徴領域Ｃでは、何種類かの香りの混合を行う。このときの混合比率は、均等でも構わないし、時間軸方向でリニアに変化させても構わない。また、ブレンドせずに１種類の香りの強度を変化させても良い。更に、例にあげたように香りを発生しない領域を設定しても良い。
【００７２】
なお、上記の例では、利用者の好みの香りを発生させるように定義しているが、何種類か用意しておいて、種々の香りを使用するようにしても良い。
【００７３】
そして、楽曲再生リスト生成部１４は、楽曲再生リスト生成後、楽曲再生リストの楽曲に対応する香り制御情報を登録する。
【００７４】
このように、楽曲再生リスト生成装置１ａは、楽曲を再生すると共に香りを発生させることにより、より利用者に「元気」や「リラックス」や「爽快」などの感情を享受させることができる。また、記憶特徴領域毎に、香りの発生手法を変えているので、利用者に対して、楽曲がどのような記憶特徴領域であるかを感知させることもできる。
【００７５】
［香りの発生を伴う楽曲再生リスト生成処理］
以下に、香りの発生を伴う楽曲再生リスト生成処理の手順について図６に示すフローチャートを用いて説明する。この処理は、楽曲再生リスト生成装置１の制御部が、予め用意されたプログラムを実行することにより実現される。なお、図４の楽曲再生リスト生成処理と同一処理については、同一ステップ番号を付し、説明を省略する。
【００７６】
楽曲再生リスト生成部１４は、ステップＳ５で楽曲再生リストを生成した後に、楽曲再生リストに対して、楽曲に対応する記憶特徴領域の種類に関する香り制御情報を登録する（ステップＳ２０）。これにより、楽曲再生リスト生成装置１は、楽曲再生リストを参照することにより、楽曲に対応する香り制御の情報を取得することができる。
【００７７】
そして、楽曲再生部１７が、楽曲再生リストに基づいて楽曲を再生している際に（ステップＳ６）、香り発生部３０は、楽曲再生リストを参照し、楽曲再生部１７が再生している楽曲に対応する香り制御情報を取得し、香り制御情報に基づいて、香りを発生させる（ステップＳ２１）。
【００７８】
以上述べたように、楽曲再生リスト生成装置１は、楽曲属性情報を保持する楽曲属性情報保持手段と、利用者固有の情報に基づいて楽曲選択期間を設定する楽曲選択期間設定手段と、楽曲選択期間毎の重み付け情報を取得する重み付け情報取得手段と、楽曲選択期間及び重み付け情報に基づいて記憶特徴領域を設定する記憶特徴領域設定手段と、前記楽曲属性情報及び前記記憶特徴領域の種類に基づいて選択した楽曲のリストである楽曲再生リストを生成し、登録する楽曲再生リスト生成手段と、を備える。
【００７９】
このように、楽曲再生リスト生成装置１は、利用者の過去の期間について、複数の期間を設定し、設定した期間における重み付け情報に基づいて楽曲再生リストを生成するので、利用者の記憶や体験を想起させる楽曲リストを生成することができる。
【００８０】
［他の実施例］
上述の実施例では、記憶特徴領域毎に設定された選曲手法に基づいて選曲する場合について述べたが、本発明は、これに限られず、記憶特徴領域の種類毎に、同一の選曲手法で選曲する曲数を変えるようにしても良い。この場合でも、楽曲再生リスト生成装置１は、利用者の記憶や体験を想起させる楽曲リストを生成することができる。
【００８１】
上述の実施例では、楽曲再生リスト生成装置１は、楽曲情報の属性情報と共に楽曲情報自体も保持する場合について述べたが、本発明は、これに限られず、楽曲情報を再生せずに、楽曲再生リストのみを生成するのであれば、楽曲情報の属性情報のみを保持するようにしても良い。
【００８２】
上述の実施例では、楽曲再生リスト生成装置１は、再生回数の情報を重み付け情報として用いて、記憶特徴領域を設定する場合について述べたが、本発明は、これに限られず、リクエスト数の情報等も、重み付け情報として用いて、記憶特徴領域を設定するようにしても良い。この場合でも、楽曲再生リスト生成装置１は、利用者の記憶や体験を想起させる楽曲リストを生成することができる。
【００８３】
上述の第２実施例において、楽曲再生リスト生成装置１では、楽曲再生リスト生成部１４が、楽曲に対応する記憶特徴領域の種類に応じた香り制御情報を楽曲再生リストに設定しているが、本発明は、これに限られず、以下の手法により、香り制御情報を設定するようにしても良い。
【００８４】
楽曲選択期間設定部１１が、ユーザの評価情報に基づいて、１つの楽曲選択期間を階層的に細分化し、楽曲再生リスト生成部１４が、記憶特徴領域の種類毎に、香り発生有無を決定し、香り発生対象の記憶特徴領域に対応する楽曲選択期間の階層の深さに応じて香りの強度を決定し、香り発生有無だけでなく、香りの強度に関する情報も香り制御情報として設定する。例えば、楽曲選択期間の階層の深さが浅い状態では、香りの強度を強くし、楽曲選択期間の階層の深さが深くなるにつれて香りの強度を弱くしていく。また、この逆でも構わない。
【００８５】
楽曲選択期間設定部１１が、楽曲選択期間を細分化する例を図７に示す。図７に示すように、楽曲選択期間設定部１１は、「小学」の期間を「一年、二年、・・・、六年」と細分化し、更に各学年について「一学期、二学期、三学期」と細分化する。この場合、楽曲再生リスト生成部１４は、「二年」の階層（階層レベル２）と「一年の一学期」の階層（階層レベル３）とで、香りの強度を変えることになる。
【００８６】
これによれば、楽曲再生リスト生成装置１は、記憶特徴領域の種類及び楽曲選択期間の階層の深さに応じて、香りの発生手法を変えているので、利用者に対して楽曲がどのような記憶特徴領域であるかを感知させることもできるだけでなく、楽曲選択期間の階層の深さ（階層レベル）も感知させることができる。
【００８７】
また、上記のように、楽曲選択期間が細分化されている場合、楽曲再生リスト生成部１４が、細分化した時期に合わせて香りの種類を変えるように、香り制御情報を設定するようにしても良い。具体例として、楽曲再生リスト生成部１４が、春の時期に桜に関する香りを設定したり、夏の時期にヒマワリの香りを設定したりする。
【００８８】
本発明は、例えばミニコンポ、ポータブルオーディオプレイヤ、カーオーディオ、カラオケ装置、携帯電話など、記憶媒体に記憶された多数の楽曲を再生する各種の楽曲再生リスト生成装置に利用することができる。
【図面の簡単な説明】
【００８９】
【図１】楽曲再生リスト生成装置の概略構成を示すブロック図である。
【図２】記憶特徴領域の例を示す図である。
【図３】楽曲選択手法を説明するために用いる図である。
【図４】楽曲再生リスト生成処理のフローチャートである。
【図５】第２実施例における楽曲再生リスト生成装置の概略構成を示す図である。
【図６】香りの発生を伴う楽曲再生リスト生成処理のフローチャートである。
【図７】楽曲選択期間の細分化の例を示す図である。
【符号の説明】
【００９０】
１  楽曲再生リスト生成装置
１１  楽曲選択期間設定部
１２  記憶特徴領域設定部
１３  選曲手法設定部
１４  楽曲再生リスト生成部
１５  楽曲評価入力部
１６  ユーザ情報入力部
１７  楽曲再生部
２０  楽曲情報ＤＢ
【図１】
2009289387.tif 000003
【図２】
2009289387.tif 000004
【図３】
2009289387.tif 000005
【図４】
2009289387.tif 000006
【図５】
2009289387.tif 000007
【図６】
2009289387.tif 000008
【図７】
2009289387.tif 000009